(57)【要約】      （修正有）【課題】カード式オルゴールにおいて、オルゴールのハンドルを左右どちら方向に回転させても、オルゴールの演奏を可能にする方法を、量産品質の安定化を図りながら低コストで実現する、一方向回転変換装置およびオルゴール装置を提供する。【解決手段】カード式オルゴール１のフレーム２に回転自在にハンドル軸５を支持し、このハンドル軸５に一対のクラッチ歯車７を設け、冠歯車１１と噛み合わせる事によりハンドル軸５の左右両方向回転を一方向回転に転換させる。【選択図】図１
0003213739.tif 000002
【実用新案登録請求の範囲】
【請求項１】
地板で回転自在に支持されたハンドル軸には、一対のラチェットが固定され、このラチェットと係合する一対のクラッチ歯車は回転自在に支持され、更に、この一対のクラッチ歯車には冠歯車が噛み合い、ハンドル軸を左右どちらに回転させても、冠歯車が同一方向に回転する一方向回転変換装置。
【請求項２】
請求項１に記載した一方向回転変換装置を、複数の音符孔を設けられたカードをオルゴール本体に通過させて演奏を行うカード式オルゴールに取り付けた事を特徴とするオルゴール装置。
【考案の詳細な説明】
【技術分野】
【０００１】  本考案は、カード式オルゴールのハンドルを左右どちらの方向に回転させても、その回転を一方向してオルゴールを演奏させる装置に関する。
【背景技術】
【０００２】  複数の穴を設けられたカードをオルゴール本体に通過させる事により演奏させる、カード式オルゴール装置があるが、手動式の場合、このオルゴールは、ハンドルを一方向に回転させた時だけしか、オルゴールは演奏せず、反対方向に回転させると力が伝達されず演奏しないという制約を有している。【０００３】
【特許文献１】公開実用新案公報  平２−６４９９５
【特許文献２】特開平９−１０１７７５
【特許文献３】特開２０１７−１４６５７３
【考案の概要】
【考案が解決しようとする課題】
【０００４】  特開平９−１０１７７５、特開２０１７−１４６５７３では、複数の穴を設けられたカードをオルゴール本体に通過させて演奏させるカード式オルゴール装置に関する提案がなされているが、ハンドルを一方向に回転した時だけ演奏が可能で、反対方向に回転させても演奏しないという制約がある構造となっている。更に公開実用新案公報  平２−６４９９５では、ハンドルを左右、どちらの方向に回転させても、一方向回転に変換してオルゴールを演奏させる機構が提案されているが、この方式はコイルバネをクラッチ機能として使用しており、コイルバネの内径を、クラッチ軸・ピニオン軸の外径より少しだけ細い状態でを連結する事で、コイルバネによりクラッチ軸・ピニオン軸の外周に接線力（締付力）を発生させ、一対のクラッチ軸とピニオンの回転方向により、回転伝達のＯＮ・ＯＦＦを制御する事で、各ピニオンと噛み合っている冠歯車を一方向にのみ回転させている。
従って、コイルバネの内径・線径、ピニオン軸やクラッチ軸の外径精度、表面の油や埃により摩擦係数の変動等により、そのコイルバネにより発生する引張力が変動する為、コイルバネと軸の間のスリップトラブル発生するばあいがある。その為、各部品の精度確保や品質管理が不可欠で、量産管理コストが発生する問題を抱えている。更に、クラッチ軸の回転力をピニオンに伝達する時、コイルバネの限られた箇所に大きな引張力が働くため、ピニオン軸とクラッチ軸の隙間にコイルバネの一部が喰い込むというトラブル要因ともなっている。
【課題を解決するための手段】
【０００５】    本考案は、カード式オルゴールのフレームの両端に、ハンドル軸を回転自在に支持する地板を固定し、このハンドル軸には一対のラチェットが固定され、このラチェットと係合する一対のクラッチ歯車が、回転自在に支持され、更に、この一対のクラッチ歯車に噛み合う冠歯車からなり、ハンドル軸を左右どちらに回転させても、冠歯車が同一方向に回転し、この冠歯車と一体回転するウォーム及びウォーム歯車でカード送りローラを回転させてカード（図は略）を送る事により、上記問題点の解決を図った。
【考案の効果】
【０００６】    カード式オルゴールのハンドルを左右どちらに回転させても演奏が可能となり、このオルゴールの用途がリハビリ等、医療・福祉機器など、今まで展開が難しかった分野への商品開発・開拓が可能となる。更に、一般的に普及しているアーム付きラチェットとクラッチ歯車をクラッチとして使用により、各部品は金型成形で製作可能となるので、部品・部組コストの低減、量産品質の安定化による品質管理コストの低減を図る事が可能となる。
【図面の簡単な説明】
【０００７】
【図１】一方向回転ハンドル軸付きカード式オルゴールの平面図である。
【図２】本考案の実施例の右側面図である。
【図３】本考案の実施例の正面図である。
【図４】本考案の実施例の部品を分解した斜視図である。
【考案を実施するための形態】
【０００８】  ハンドル軸と一対で固定されたクラッチは、アームと突起を有し、ハンドル軸に回転自在に嵌められた一対のクラッチ歯車が、それぞれ係合して構成され、ハンドル軸を左右どちらに回転させても、一対のクラッチとクラッチ歯車のどちらか一方のクラッチの突起がクラッチ歯車の凹部に飛び込む事により、ハンドル軸の回転が一方向に変換されて冠歯車に伝達される。
【実施例】
【０００９】  以下、添付図に従って実施例を説明する。１はカード式オルゴール本体で、２のフレームには５のハンドル軸を回転自在に支持する３及び４の地板が固定され、このハンドル軸には７と８のクラッチ歯車が回転自在に支持されている一方、９と１０のラチェットはハンドル軸に固定されている。又、このハンドル軸の両端には６のハンドルが１８のジョイントにより固定されている。１１の冠歯車は１２のウォームと一体で、１４の圧縮バネにより７と８のクラッチ歯車に押しつけられた状態で、３の地板に回転自在に支持されている。更に、１３のウォーム歯車と１５の歯車は一体で３の地板に回転自在で支持され、１３のウォーム歯車は１２の歯車と噛み合い、１５の歯車は１６のローラ歯車と噛み合っている。又、１６のローラ歯車と１７のローラは一体で回転自在に３の地板に支持されている。従って、６のハンドルを回転させると、クラッチ歯車・冠歯車・ウォーム・ウォーム歯車を介して回転力が１７のローラに伝達され、ローラの回転でカード（図は略す）が送られてオルゴールを演奏させる。尚、７と８のクラッチ歯車、及び、９と１０のラチェットの記号は説明の都合上により相違させているが、実体は全く同じ形状の部品である。【００１０】  図４で示すように、５のハンドル軸を左回転させると９のラチェットはハンドル軸と一体になって左回転するが、この時９ａアームの先端部の９ｂ突起が７のクラッチ歯車に設けられた７ａの凹部に突入し、７のクラッチ歯車は左回転するが、これと噛み合っている１１の冠歯車と１２のウォームは右回転する。この時、１０のラチェットに設けられた１０ｂ突起は８のクラッチ歯車に設けられた凹部から外れてハンドル軸の回転は８のクラッチ歯車には伝達されない。【００１１】  ５のハンドル軸が右回転した場合は、１０のラチェットの凹部に１０ｂの突起が突入し８のクラッチ歯車は右回転し、１１の冠歯車を右回転させるが、７のクラッチ歯車では９のラチェットの９ａ突起が７ａ凹部から外れるので、５のハンドル軸の回転は伝達されない。この為、ハンドル軸が左右どちらに回転しても、１１の冠歯車と１２のウォームは右回転する。図２、図３で示すように、１２のウォームと１３のウォーム歯車はかみあっているので、１３のウォーム歯車と一体の１５の歯車は右回転すると、１６のローラ歯車が左回転することにより１７のローラも左回転して、ローラに挟み込んだカード（図は略）を駆動させてオルゴールを演奏させる。
【符号の説明】
【００１２】１    カード式オルゴール
２    フレーム
３    地板Ａ
４    地板Ｂ
５    ハンドル軸
６    ハンドル
７    クラッチ歯車
７ａ  凹部
８    クラッチ歯車
９    ラチェット
９ａ  アーム
９ｂ  突起
１０    ラチェット
１０ａ  アーム
１０ｂ  突起
１１    冠歯車
１２    ウォーム
１３    ウォーム歯車
１４    圧縮バネ
１５    歯車
１６    ローラ歯車
１７    ローラ
１８    ジョイント
【図１】
0003213739.tif 000003
【図２】
0003213739.tif 000004
【図３】
0003213739.tif 000005
【図４】
0003213739.tif 000006